(57)【要約】      （修正有）【課題】ティッシュペーパー及びキッチンペーパー等２種類のものを１つに纏めてケースに入れ、ケースの裏表の両面からペーパー類を取り出せるようにして設置及び持ち運びが簡単なケースを提供する。【解決手段】布製素材で制作されたケース本体１に箱入りもしくは袋詰めのティッシュペーパーＴ及びキッチンペーパーＫを入れ、ケース本体の裏表両面からペーパー類の取り出し口としてそれぞれファスナー２を有している。ケース本体の底面は平面であり床面等に置くのみでなく、上方部にはベルト４１、４２付きバックル５１、５２が取り付けられているため、ポール、フック等に吊り下げることができ、さらに持ち運び時の取手にもなる。ティッシュペーパー及びキッチンペーパーを使用しないときはファスナーを閉じていればペーパー類が雨や埃に曝されることなく衛生的である。【選択図】図４
0003231781.tif 000002
【実用新案登録請求の範囲】
【請求項１】
ティッシュペーパー及びキッチンペーパー等２種類の箱状もしくは袋詰めのペーパー類を１つに収納できる袋状のケース
【請求項２】
ケースの裏面、表面にはティッシュペーパーおよびキッチンペーパーが取り出せるファスナーが設けられており、ペーパー類を使用しない時は、ファスナーを閉じ埃、雨等の悪環境からペーパー類を保護することができるケース
【請求項３】
ケース上部の両端にはバックルが取り付けられ運搬時の取手を構成し設置についても床面に置くだけではなくフック等に吊り下げる能力を有したケース
【考案の詳細な説明】
【技術分野】
【０００１】  本考案はティッシュペーパーとキッチンペーパー等２種類のものを１つのケースに収めケースの裏表両面からそれぞれ別々に取り出せるケースに関するものである。
【背景技術】
【０００２】  キャンプ等でティッシュペーパーおよびキッチンペーパーは両方必要であり箱入りもしくは袋詰めのものを別々に持っていき使用していた。
【先行技術文献】
【特許文献】
【０００３】
【特許文献１】特開２０１８−１７７３６７号公開特許公報
【考案の概要】
【考案が解決しようとする課題】
【０００４】  従来キャンプではティッシュペーパーとキッチンペーパーは両方ともよく使われる必需品であり、それぞれ箱入りもしくは袋詰めのものを持っていって使用していたが次の不便さがあった。【０００５】  ティッシュペーパーとキッチンペーパーの箱入りもしくは袋詰めのものを別々に持っていくと嵩張りキャンプ場への行き帰り、キャンプ場内でのテント、料理場等への持ち運びが不便である。【０００６】  ティッシュペーパーとキッチンペーパーは同一場所で使うことが多く別々に持っていくとバラバラになり探す手間がかかる。【０００７】  箱入り、袋詰めのものは取り出し口からティッシュペーパーもしくはキッチンペーパーとも引き出された状態になり、水にぬれたり、埃がついたり衛生上好ましくない【０００８】  使用時の置き場所についても箱入り、袋詰めのものはテーブル、台、床等の上に置くしかなく、また、耐水性もあまりないため置き場所が限定される【０００９】  本考案は上述の欠点をなくすためになされたものである。
【課題を解決するための手段】
【００１０】  本考案は箱入りもしくは袋詰めのティッシュペーパー及びキッチンペーパーそれぞれ１個を１セットとして入れられる袋状のケースでありティッシュペーパー及びキッチンペーパーはケース上方の開口部から入れられる。【００１１】  使用時のペーパー類の取り出し口はケースの裏面表面にそれぞれ開け閉め可能なファスナーが取り付けられており、ペーパー類を使用しない場合はファスナーを閉め悪環境から遮断される。【００１２】  ペーパー類をセットする上方の開口部の横にはベルト付きのバックルが両横に取り付けられペーパー類を挿入後開口部をくるくると手前もしくは向こう側に折り返し開口部を閉めるとともに左右のバックルを閉める。
【考案の効果】
【００１３】  ケースは布製素材からできており、ティッシュペーパー及びキッチンペーパーが同一ケースに収納されているため、両ペーパー類がバラバラにならず運搬時も楽である。また、布製素材を防水性とすることにより水濡れを気にしなくてもよい。【００１４】  ペーパー類を使用しないときは取り出し口のファスナーを閉めていれば埃や突然の雨等も気にせずに衛生的である。【００１５】  ケース上方の開口部を閉じた後は、ベルト付きのバックルが設置されているため、テーブル上や床上のみならず紐、小枝、フック等に吊り下げて設置できる。【００１６】  さらに、ケースに収納するペーパー類はティッシュペーパー、キッチンペーパーのみでなく使用目的に合わせペーパータオル、ウェットティッシュ、ローションティッシュ、小ビニール袋等も収納でき使用場所もキャンプ場など屋外だけでなく屋内でも活用できる。
【図面の簡単な説明】
【００１７】
【図１】本考案ケースの表面側の参考斜視図である。ティッシュペーパー及びキッチンペーパーは入れられていない。
【図２】本考案ケースの裏面側の参考斜視図である。ティッシュペーパー及びキッチンペーパーは入れられていない。
【図３】本考案ケースにティッシュペーパー及びキッチンペーパーを挿入し上部の開口部６を閉じようとしている参考斜視図である。
【図４】本考案ケースの使用状態を示す参考斜視図である。
【図５】本考案ケースをポールに吊るした状態を示す参考斜視図である。
【考案を実施するための形態】
【００１８】  図１から図５を示しながら本考案を実施する形態について説明する。
【００１９】  図１は本考案ケースの表面側参考斜視図でありケース内部にティッシュペーパー及びキッチンペーパーを入れていない状態を示している。図２は本考案ケースの裏面側参考斜視図であり図１同様ケース内部にティッシュペーパー及びキッチンペーパーを入れていない状態を示している。ケース本体１は布製であり内部には箱入りもしくは袋詰めのティッシュペーパー及びキッチンペーパー各１個が上部の開口部６から挿入できる形態になっており、上下方向に長手の略直方体の袋状である。底面は床等に置けるように平面となっている。
【００２０】  ケース本体１の表面側及び裏面側にはティッシュペーパー及びキッチンペーパーが取り出せるファスナー２及びファスナー３が取り付けられている。ファスナー２とファスナー３はティッシュペーパー取り出し側とキッチンペーパー取り出し側とで色を変えると使用時は識別でき便利である。さらにファスナーを両開きファスナーにすることでウェットティッシュのような開口部が少なくてよいものを入れるとき、開口部の長さを調整でき衛生的である。
【００２１】  ケース本体１の上方に設けられた開口部６の両横にはバックル５１及びバックル５２がベルト４１及びベルト４２にて取り付けられている。
【００２２】  図３はケース本体１に箱入りもしくは袋詰めティッシュペーパー及びキッチンペーパーを挿入後上部の開口部６を閉じようとしている参考斜視図であり、それぞれペーパー類を挿入後は開口部６を閉じるため開口部の一端を表面側にくるっと折り曲げた状態を示している。開口部の一端の折り返しは表面側でも裏面側でもよく、くるくると数回折り返した後バックル５１とバックル５２をはめ込むことでロープ、ポール、フック等に吊り下げることができるようになる。また、この部分は持ち運び時の取手にもなる。
【００２３】  図４は本考案ケースの使用状態を示している。開口部６を閉じバックル５１及びバックル５２をはめ込むことによりロープ、フック等にも吊り下げることができるだけでなく、ケース底面が平面であるためテーブル、床等にも置くことができる。さらにケースの素材を防水性の布、ビニール等にすることにより水濡れなど設置場所の環境をあまり気にせずに設置できる。
それぞれのペーパーを使用するときはファスナー２もしくはファスナー３を開け内部に挿入されたペーパーを取り出して使用する。使用しないときはそれぞれのファスナー２、ファスナー３を閉めておくことにより内部のペーパー類が水濡れ、埃等の悪環境に曝されなく衛生的である。図５はポールに吊り下げ使用している状態を示している。
【符号の説明】
【００２４】    １  ケース本体
２  ファスナー
３  ファスナー
４１  ベルト
４２  ベルト
５１  バックル
５２  バックル
６  開口部
Ｔ  ティッシュペーパー
Ｋ  キッチンペーパー
【図１】
0003231781.tif 000003
【図２】
0003231781.tif 000004
【図３】
0003231781.tif 000005
【図４】
0003231781.tif 000006
【図５】
0003231781.tif 000007